(57)【要約】【課題】製造単価を抑えることが可能なマッサージ器を提供する。【解決手段】マッサージ器１は、把持部３と、把持部３の一端側に設けられた二股部２と、二股部２に取り付けられた一対の回転軸９を中心に回転可能に支持された一対の回転体４とを備える。把持部２及び二股部２は、上下に分割された下側カバー５及び上側カバー６が接合することで、形成されている。下側カバー５及び上側カバー６は、スナップフィット片６ａと係合部５ａとを用いて、内部で、接合されている。下側カバー５及び上側カバー６のどちらか一方に、回転軸９を取り付けるための回転軸固定部５ｆが予め形成されている。回転軸固定部５ｆが設けられていないカバーにおいて、二股部２に相当する箇所の先端に、舌部６ｃが形成されている。回転軸固定部５ｆには、舌部６ｃを挿入するための挿入口５ｄが形成されている。【選択図】図３
2020151002.tif 000002
【特許請求の範囲】
【請求項１】
把持部と、前記把持部の一端側に設けられた二股部と、前記二股部に取り付けられた一対の回転軸を中心に回転可能に支持された一対の回転体とを備えるマッサージ器であって、
前記把持部及び前記二股部は、上下に分割された第１カバー及び第２カバーが接合することで、形成されており、
前記第１カバー及び前記第２カバーは、内部で、スナップフィットによって接合されており、
前記第１カバー及び前記第２カバーのどちらか一方に、前記回転軸を取り付けるための回転軸固定部が少なくとも１つ予め形成されており、
前記第１カバー及び前記第２カバーの内、前記回転軸固定部が設けられていないカバーにおいて、前記二股部に相当する箇所の先端に、舌部が少なくとも１つ形成されており、
前記回転軸固定部には、前記舌部を挿入するための挿入口が形成されていることを特徴とする、マッサージ器。
【請求項２】
把持部と、前記把持部の一端側に設けられた二股部と、前記二股部に取り付けられた一対の回転軸を中心に回転可能に支持された一対の回転体とを備えるマッサージ器であって、
前記把持部及び前記二股部は、上下に分割された第１カバー及び第２カバーが接合することで、形成されており、
前記第１カバー及び前記第２カバーは、内部で、スナップフィットによって接合されており、
前記第１カバー及び前記第２カバーのどちらか一方に、前記回転軸を取り付けるための回転軸固定部が少なくとも１つ予め形成されており、
前記第１カバー及び前記第２カバーにおいて、前記二股部に相当する箇所の少なくとも１つの先端部分に形成された溝部に止め輪が嵌め込まれていることを特徴とする、マッサージ器。
【発明の詳細な説明】
【技術分野】
【０００１】
本発明は、一対の回転体を回転可能に支持しているマッサージ器に関し、より特定的には、把持部の構造に特徴を有するマッサージ器に関する。
【背景技術】
【０００２】
従来、一対の回転体を回転可能に支持しているマッサージ器として、特許文献１に記載の美容器が知られている。特許文献１における美容器において、ハンドル（１１）は、合成樹脂により形成された基材（１２）と、その基材（１２）の外周に被覆された上側ハンドルカバー（１３ａ）及び下側ハンドルカバー（１３ｂ）よりなるハンドルカバー（１３）とにより構成されている。これらの上側ハンドルカバー（１３ａ）及び下側ハンドルカバー（１３ｂ）は、複数のねじ（１４）により基材（１２）と連結されている。ハンドル（１１）の二股部（１１ａ）の先端外周には、合成樹脂よりなる円筒状のキャップ（１８）が嵌着されている。このキャップ（１８）の嵌着により、ボール支持軸（１５）のがたつきが防止される。
【先行技術文献】
【特許文献】
【０００３】
【特許文献１】特開２０１３−１０３０８６号公報
【発明の概要】
【発明が解決しようとする課題】
【０００４】
特許文献１に記載の美容器では、上側ハンドルカバー（１３ａ）及び下側ハンドルカバー（１３ｂ）を基材（１２）に連結する必要がある。基材（１２）は、合成樹脂によって形成されており、上側ハンドルカバー（１３ａ）及び下側ハンドルカバー（１３ｂ）の形状に合わせた成形品である。そのため、特許文献１に記載の美容器を実施するには、基材（１２）のための金型が必要であり、製品全体のコスト増をなっていた。さらに、特許文献１に記載の美容器では、キャップ（１８）を用いないと、上側ハンドルカバー（１３ａ）及び下側ハンドルカバー（１３ｂ）ががたついてしまい、結果、ボール支持軸（１５）ががたつくこととなる。したがって、特許文献１に記載の美容器を実施するには、キャップ（１８）のための金型も必要であり、製品全体のコスト増となっていた。
【０００５】
このように、特許文献１に記載の美容器は、製造単価を高める構成となっていた。
【０００６】
それゆえ、本発明は、製造単価を抑えることが可能なマッサージ器を提供することを目的とする。
【課題を解決するための手段】
【０００７】
上記課題を解決するために、本発明は、以下のような特徴を有する。
【０００８】
本発明は、把持部と、把持部の一端側に設けられた二股部と、二股部に取り付けられた一対の回転軸を中心に回転可能に支持された一対の回転体とを備えるマッサージ器である。
【０００９】
把持部及び二股部は、上下に分割された第１カバー及び第２カバーが接合することで、形成されている。
【００１０】
第１カバー及び第２カバーは、内部で、スナップフィットによって接合されている。
【００１１】
第１カバー及び第２カバーのどちらか一方に、回転軸を取り付けるための回転軸固定部が少なくとも１つ予め形成されている。
【００１２】
第１カバー及び第２カバーの内、回転軸固定部が設けられていないカバーにおいて、二股部に相当する箇所の先端に、舌部が少なくとも１つ形成されている。回転軸固定部には、舌部を挿入するための挿入口が形成されている。
【００１３】
若しくは、第１カバー及び第２カバーにおいて、二股部に相当する箇所の少なくとも１つの先端部分に形成された溝部に止め輪が嵌め込まれている。
【発明の効果】
【００１４】
本発明によれば、第１カバー及び第２カバーが、スナップフィットによって、その内部で接合される。そのため、従来技術のように、基材及びビスによる接合を行う必要がないので、作業工程が単純化されるとともに、部品点数が減る。よって、製造単価を抑えることが可能となる。
【００１５】
また、第１カバー及び第２カバーのどちらか一方に、回転軸を取り付けるための回転軸固定部が予め形成されている。そのため、回転軸固定部に、回転軸を取り付けるだけでよいので、作業工程が単純化されるとともに、従来技術のように、キャップを嵌着させる必要がないので、部品点数が減る。よって、製造単価を抑えることが可能となる。
【００１６】
また、本発明によれば、回転固定部の挿入口に、舌部を挿入することで、二股部がずれるのを防止できる。そのため、従来技術のように、キャップを嵌着させる必要がないので、部品点数が減る。よって、製造単価を抑えることが可能となる。
【００１７】
また、本発明によれば、二股部に相当する箇所の先端部分に形成された溝部に止め輪を嵌め込むことで、二股部がずれるのを防止できる。そのため、従来技術のように、キャップを嵌着させる必要がないので、部品点数が減る。よって、製造単価を抑えることが可能となる。また、止め輪は、汎用的な部材であるため、極めて安価である。よって、止め輪を用いたとしても、製造単価が上昇することはない。
【００１８】
本発明のこれら、及び他の目的、特徴、局面、効果は、添付図面と照合して、以下の詳細な説明から一層明らかになるであろう。
【図面の簡単な説明】
【００１９】
【図１】図１は、本発明の一実施形態におけるマッサージ器１の斜視図である。
【図２】図２は、マッサージ器１の把持部３の長手方向の中心断面図である。
【図３】図３は、マッサージ器１の一方の二股部２及び回転体４の中心断面図である。
【図４】図４は、マッサージ器１の下側カバー５の内部構造を示す斜視図である。
【図５】図５は、マッサージ器１の上側カバー６の内部構造を示す斜視図である。
【図６】図６は、マッサージ器１の他の実施形態における二股部２の先端構造を説明するための図である。
【発明を実施するための形態】
【００２０】
図１ないし図５を参照しながら、本発明の一実施形態におけるマッサージ器１の構造について説明する。マッサージ器１は、二股部２と、把持部３と、一対の回転体４とを備える。二股部２は、把持部３の一方端側に設けられており、略Ｖ字状をなす。一対の回転体４は、二股部２の先端に挿入された回転軸９を中心に、回転自在に取り付けられている。二股部２及び把持部３は、上下に分割された下側カバー５及び上側カバー６を結合することによって、構成されている。
【００２１】
なお、上下とは、図１上の上下関係を指すのであり、下側カバー５及び上側カバー６のどちらを上にして使用してもよく、上下を区別することの構造的及び機能的意義はない。下側カバー５及び上側カバー６は、抽象化して、第１カバー５及び第２カバー６（若しくは、第１カバー６及び第２カバー５）と表現してもよい。ただし、以下では、図面を参照した際の説明を分かりやすくするために、下側カバー５及び上側カバー６の用語を用いるが、本発明を何ら限定するものではない。
【００２２】
図４に示すように、下側カバー５は、内側が凹んだ形状を有している。下側カバー５は、複数の係合部５ａと、凹周部５ｂと、錘受け部５ｃと、二股部２の先端に設けられた２つの回転軸固定部５ｆとを含む。
【００２３】
複数の係合部５ａは、たとえば、図４に示すように、二股部側、中ほど側、及び基端側のように、凹み部分の全体に、バランスよく配置されている。ただし、その配置位置は、本発明を限定するものではない。係合部５ａは、スナップフィット片６ａを係合するための穴を有している。
【００２４】
凹周部５ｂは、下側カバー５の外周部分に形成されており、凸周部６ｂを差し込むことができる凹み形状となっている。
【００２５】
錘受け部５ｃは、把持部３の内部に収容される錘８が把持部３の内部でずれないようにするための枠である。
【００２６】
各回転軸固定部５ｆは、舌部挿入口５ｄと、軸孔５ｅとを有する。舌部挿入口５ｄは、二股先端舌部６ｃを差し込むための開口である。軸孔５ｅは、回転軸９を挿入するための孔である。なお、ここでは、舌部挿入口５ｄ及び軸孔５ｅは、貫通した構造であるように図示しているが、貫通していなくてもよい。
【００２７】
図５に示すように、上側カバー６は、複数のスナップフィット片６ａと、凸周部６ｂと、二股先端舌部６ｃとを含む。
【００２８】
各スナップフィット片６ａは、いわゆるカンチレバーロックというスナップフィットによる接合方法を用いた構造であり、撓むことが可能なアーム部分の先端に、突出したフック部分を設けることで、係合部５ａの穴に係合することができる。各スナップフィット片６ａは、それぞれ、係合部５ａに対応する位置に設けられており、把持部３の内部にバランスよく配置されている。ただし、配置位置は、本発明を限定するものではない。
【００２９】
凸周部６ｂは、上側カバー６の外周部分に形成されており、凹周部５ｂに差し込むことができる凸形状となっている。
【００３０】
なお、凹周部５ｂの一部が、上側カバー６に設けられ、凸周部６ｂの一部が下側カバー５に設けられていてもよい。また、凹周部５ｂと凸周部６ｂとは、互い違いになるように、上側カバー６及び下側カバー５に設けられていてもよい。
【００３１】
二股先端舌部６ｃは、回転軸固定部５ｆの舌部挿入口５ｄに差し込むことができる舌片である。なお、図示では、単に、二股先端舌部６ｃは舌部挿入口５ｄに差し込まれるだけの構成としたが、カンチレバーロックなどのスナップフィットによって、二股先端舌部６ｃが舌部挿入口５ｄに差し込まれてもよい。また、二股先端舌部６ｃ及び舌部挿入口５ｄは、二股部２の片側で、複数組存在していてもよい。
【００３２】
図３に示すように、二股端舌部６ｃが、舌部挿入口５ｄに差し込まれた上で、図２に示すように、凹周部５ｂに凸周部６ｂが差し込まれ、上側カバー６と下側カバー５とを合せる。その際、各スナップフィット片６ａのアーム部分が撓んで、フック部分が係合部５ａを乗り越えて、その後復元し、係合部５ａの穴に入り込むことで、上側カバー６と下側カバー５とが接合されることとなる。このように、いわゆるスナップフィットによって、上側カバー６と下側カバー５とが、把持部３の内部で接合されている。なお、ここで、示しスナップフィット構造は、あくまでも一例に過ぎず、本発明を何ら限定するものではない。把持部３の内部でスナップフィットによって、上下のカバーが接合される構造全てが本発明に含まれる。
【００３３】
回転軸固定部５ｆに、回転軸９が圧入される。なお、回転軸９は、適宜、軸孔５ｅに接着剤などで固定されてもよい。回転軸９には、軸受１０，１０を保持した軸受ホルダー１１が挿入されて、ナット等の抜け止め部１２によって、軸受１０，１０及び軸受ホルダー１１が、回転軸９から抜けないように構成されている。軸受ホルダー１１に、回転体４が圧入される。
【００３４】
回転体４は、図３に示すように、貫通構造を有している。軸受ホルダー１１に回転体４を圧入したあと、回転体４の貫通孔から、回転軸９の先端に軸先端蓋７を差し込むことで、回転体４の貫通孔がほぼ塞がれることとなる。なお、回転体４と軸先端蓋７との間には、所定のクリアランスが設けられている。
【００３５】
回転体４を回転軸９に回転可能に支持するための構造は、左右の回転体４において、共通であるとよい。ただし、左右の回転体４で別々の支持構造を用いてもよく、本発明においては、二股部２の少なくとも片方側に、少なくとも１つの回転軸固定部５ｆ、二股端舌部６ｃ、及び舌部挿入口５ｄが設けられていればよい。
【００３６】
なお、上記実施形態では、下側カバー５に、回転軸固定部５ｆを設けることしたが、上側カバー６に回転軸固定部５ｆを設けるようにしてもよい。また、上側カバー６にスナップフィット片６ａを設けることとしたが、下側カバー５に設けるようにしてもよい。すなわち、接合方法は、上下逆になっていてもよい。また、スナップフィット片６ａと係合部５ａとが、上下に、互い違いに設けられるなどしてもよい。すなわち、上下のカバーの少なくともどちらか一方に、スナップフィット片と係合部とが設けられていればよい。
【００３７】
このように、本発明の一実施形態では、上下のカバー５，６にスナップフィット片６ａと係合部５ａとを設けることで、上下のカバー５，６の接合を簡易な構造としている。これにより、従来の特許文献１に記載の発明のように、基材を用いて、ネジで、上下のカバーを固定しなくともよくなるので、基材を必要としない分、部品点数が減り、かつ、接合のための工数を減らすことができるので、製品単価を下げることができる。
【００３８】
また、上下のカバー５，６には、凹周部５ｂ及び凸周部６ｂを設けることで、上下のカバー５，６がずれることが防止される。
【００３９】
さらに、上下のカバー５，６のどちらか一方に、回転軸９を固定するための軸孔５ｅを有する回転軸固定部５ｆを予め形成しておくことで、従来の特許文献１に記載の発明のように、基材内部で、軸がガタツクことを防止するためのキャップをわざわざ必要としない。よって、その分、部品点数が減ることとなり、製造工数も減ることとなるので、製品単価を下げることができる。
【００４０】
さらに、二股先端舌部６ｃが、舌部挿入口５ｄに差し込まれる構造とすることで、二股部２での上下のカバーのずれが防止されることとなる。
【００４１】
上記実施形態では、二股部２の先端において、二股先端舌部６ｃ及び舌部挿入口５ｄを用いることとしたが、図６に記載のような変形例も考えられる。
【００４２】
図６では、下側カバー５に、回転軸固定部５ｆが形成されているとする。上側カバー６には、二股先端舌部６ｃは形成されていない。また、下側カバー５には、舌部挿入口５ｄは形成されていない。その代わり、上側カバー６及び下側カバー５の先端部６ｄ及び５ｇにおいて、溝部１３が形成されているとする。上側カバー６及び下側カバー５の内部における接合構造は、上記実施形態と同様、スナップフィット結合を用いてもよし、他の結合構造を用いてもよい。なお、図６の奥に図示されている回転体４についても、同様の構造であるとよいが、限定されるものではない。
【００４３】
先端部６ｄ及び５ｇの溝部１３には、ｅリングなどの汎用性のある止め輪１４が嵌め込まれる。これによって、上下のカバー５，６の二股部２が確実に固定されることとなる。
【００４４】
なお、一対の回転体４は、同じ内部構造であるとよいが、限定するものではない。すなわち、二股部２の少なくとも片方側に、少なくとも１つの溝部１３と止め輪１４とが設けられていればよい。
【００４５】
止め輪１４は、汎用的な部材であり、極めて安価なものである。よって、従来技術と比べて、製造単価を抑えることができる。
【００４６】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本明細書に開示されている発明の構成要件は、それぞれ独立に単独した発明として成立するものとする。各構成要件をあらゆる組み合わせ方法で組み合わせた発明も、本発明に含まれることとする。
【産業上の利用可能性】
【００４７】
本発明は、マッサージ器に関するものであり、産業上利用可能である。
【符号の説明】
【００４８】
１  マッサージ器
２  二股部
３  把持部
４  回転体
５  下側カバー
５ａ  係合部
５ｂ  凹周部
５ｃ  錘受け部
５ｄ  舌部挿入口
５ｅ  軸孔
５ｆ  回転軸固定部
５ｇ  先端部
６  上側カバー
６ａ  スナップフィット片
６ｂ  凸周部
６ｃ  二股先端舌部
６ｄ  先端部
７  軸先端蓋
８  錘
９  回転軸
１０  軸受
１１  軸受ホルダー
１２  抜け止め部
１３  溝部
１４  止め輪
【図１】
2020151002.tif 000003
【図２】
2020151002.tif 000004
【図３】
2020151002.tif 000005
【図４】
2020151002.tif 000006
【図５】
2020151002.tif 000007
【図６】
2020151002.tif 000008